(57)【要約】【課題】  簡単な操作により録画中の番組を最後まで録画する。【解決手段】  テレビジョン放送を受信して、放送番組を示す画像データを出力する受信手段と、前記受信手段から出力された画像データを記録媒体に記録する記録手段と、前記放送番組の放送時間に係る番組ガイド情報を取得する手段と、電源オフの指示を受け付ける受付手段と、前記記録手段による前記画像データの記録中に前記電源オフの指示を受け付けたことに応じて、前記番組ガイド情報に基づいて前記記録中の画像データに係る放送番組の放送終了時間まで記録を継続した後、記録を停止するよう前記記録手段を制御する制御手段とを備える。【選択図】  図４
2009225300.tif 000002
【特許請求の範囲】
【請求項１】
テレビジョン放送を受信して、放送番組を示す画像データを出力する受信手段と、
前記受信手段から出力された画像データを記録媒体に記録する記録手段と、
前記放送番組の放送時間に係る番組ガイド情報を取得する手段と、
電源オフの指示を受け付ける受付手段と、
前記記録手段による前記画像データの記録中に前記電源オフの指示を受け付けたことに応じて、前記番組ガイド情報に基づいて前記記録中の画像データに係る放送番組の放送終了時間まで記録を継続した後、記録を停止するよう前記記録手段を制御する制御手段とを備える記録装置。
【請求項２】
前記制御手段は更に、前記記録中の画像データに係る放送番組の記録を停止すると、装置の電源を切ることを特徴とする請求項１記載の記録装置。
【請求項３】
前記受付手段は前記記録中の画像データに係る放送番組の記録を停止した後に装置の電源を切るか否かの指示を受け付け、前記制御手段は、前記装置の電源を切る指示を受け付けた場合に、前記記録中の画像データに係る放送番組の記録を停止すると、装置の電源を切ることを特徴とする請求項２記載の記録装置。
【請求項４】
前記受信手段により受信された放送番組に係る画像を表示装置に表示する表示制御手段を備え、
前記制御手段は、前記記録手段による前記画像データの記録中に前記電源オフの指示を受け付けたことに応じて、前記記録中の画像データに係る放送番組の記録を停止した後に装置の電源を切るか否かを選択するための選択画面を表示するよう前記表示制御手段を制御することを特徴とする請求項３記載の記録装置。
【発明の詳細な説明】
【技術分野】
【０００１】
本発明は記録装置に関し、特に、テレビ放送を受信し、放送番組のデータを記録する装置に関する。
【背景技術】
【０００２】
近年、テレビジョン放送のデジタル化が急速に進められている。
テレビ放送をデジタル化することにより、アナログ信号よりも放送帯域を効率よく利用でき、高画質化・高音質化を図ることができる。
また、デジタルデータは映像や音声以外のデータとの親和性が高い。
【０００３】
例えば、デジタルテレビ放送では、放送番組のデータに加え、電子番組ガイド情報（ＥＰＧ）や、データ放送など各種の情報を多重して放送している。これにより、ユーザ（視聴者）のサービスを向上させることができる。
【０００４】
また、最近では、ハードディスクやＤＶＤ（デジタル多用途ディスク）などの大容量ストレージに対してテレビ放送番組を記録するディスクレコーダが普及している。
【０００５】
ＥＰＧ情報には、各チャンネルで放送される番組に係る情報が含まれている。例えば、番組名やチャンネル、放送時間（放送開始、終了時間）、ジャンルや出演者、番組の内容などがＥＰＧ情報に含まれている。
【０００６】
ディスクレコーダでは、放送番組に多重されているＥＰＧ情報を用いて番組表を表示し、ユーザはこの番組表を利用して録画予約が可能となっている（例えば、特許文献１参照）。
【特許文献１】特開２００５−２４４６６０
【発明の開示】
【発明が解決しようとする課題】
【０００７】
前述の様に、番組情報などを利用して録画予約した場合、番組の放送終了時刻になると、レコーダは自動的に録画を停止し、電源をオフにする。
【０００８】
しかしながら、ユーザが自分でリモコンなどの録画ボタンを操作して録画を開始した場合、録画を停止するためにはユーザが自分で録画停止の操作を実行する必要があった。
そのため、急な用事などで外出するときなどは、番組を録画中であっても録画を停止し、レコーダの電源を切らなければならない。従って、録画中の番組を最後まで録画することができないという問題があった。
【０００９】
本発明はこの様な問題を解決し、簡単な操作により録画中の番組を最後まで録画することが可能な装置を提供することを目的とする。
【課題を解決するための手段】
【００１０】
本発明は、テレビジョン放送を受信して、放送番組を示す画像データを出力する受信手段と、前記受信手段から出力された画像データを記録媒体に記録する記録手段と、前記放送番組の放送時間に係る番組ガイド情報を取得する手段と、電源オフの指示を受け付ける受付手段と、前記記録手段による前記画像データの記録中に前記電源オフの指示を受け付けたことに応じて、前記番組ガイド情報に基づいて前記記録中の画像データに係る放送番組の放送終了時間まで記録を継続した後、記録を停止するよう前記記録手段を制御する制御手段とを備える。
【発明の効果】
【００１１】
本発明によれば、ユーザの操作により録画を開始した場合であっても、簡単な操作により、録画中の番組を最後まで録画してから録画を停止することが可能となる。
【発明を実施するための最良の形態】
【００１２】
（第１の実施形態）
以下、添付図面に従って本発明にかかる実施形態を詳細に説明する。
【００１３】
図１は、本発明に係るテレビ受信機１００の構成を示す図である。図１のテレビ受信機２００は、デジタルテレビ放送を受信して放送番組の画像、音声を出力すると共に、受信した放送番組のデータを内蔵したハードディスク（ＨＤＤ）に記録する。
【００１４】
図１において、操作受付部１１３は、受信部１１４により受信したリモコン２００からのコマンド、或いは、スイッチ１１５による操作指示を受け付け、ＣＰＵ１１０に指示の結果を出力する。
【００１５】
リモコン２００は、電源ボタンやチャンネル切り替えのボタン、番組表、録画、再生ボタン、カーソルの移動、決定ボタンなど、各種の操作ボタンを備えている。そして、ユーザがリモコン２００におけるこれらのボタンを操作すると、リモコン２００からコマンドが送信される。受信部１１４はリモコン２００からのコマンドを受信して操作受付部１１３に出力する。また、スイッチ１１５は、リモコン２００と同様、電源ボタン等、各種の操作ボタンを備えている。
【００１６】
ＣＰＵ１１０は、操作受付部１１３からのコマンドに従い、テレビ受信機１００の各部を制御する。
【００１７】
ユーザにより電源が投入されると、アンテナ１０１はテレビ放送波を受信し、チューナ１０２に送る。なお、本実施形態では、放送波は有線放送、衛星放送、地上波など特に限定されない。チューナ１０１は、アンテナ１０１の出力から、指定されたチャンネルの信号を検出し、復調すると共に、データストリームに変換し、バス１１６を介してＴＳデコーダ１０３に送る。
【００１８】
本実施形態では、放送局から送信されたデータストリームは、ＭＰＥＧ２−ＴＳの形式である。ＴＳデコーダ１０３は、受信されたデータストリームを、放送番組の画像データ、音声データ、字幕データ、ＥＰＧデータ、データ放送用のデータ、その他の付加情報データに分離する。
【００１９】
そして、ＴＳデコーダ１０３は、画像、音声、字幕データ及びデータ放送用データをＡＶデコーダ１０４に送り、その他の付加情報を記録制御部１１１に送ってＨＤＤ１１２に記憶する。
【００２０】
ＡＶデコーダ１０４は、ＭＰＥＧ２方式で符号化された画像、音声データをそれぞれデコードする。そして、画像データと字幕データを表示制御部１０５に出力し、音声データを音声出力部１０７に出力する。表示制御部１０５は、ＡＶデコーダ１０４からの画像データを表示に適した形態に変換し、表示部１０６に表示する。また、音声出力部１０７は、ＡＶデコーダ１０４からの音声データをスピーカ１０８より出力する。
【００２１】
メモリ１０９は、ＣＰＵ１１０にて用いる制御用プログラムが格納されている。ＣＰＵ２１１は電源投入時にメモリ１０９のプログラムをロードして実行する。また、メモリ１０９は、実行プログラムの作業データを読み書きするためにも用いられる。
【００２２】
ＣＰＵ１１０は、受信機全体を制御するため、演算処理行ったり、読み書き命令を行ったりする中央処理装置である。
【００２３】
また、ＣＰＵ１１０は、ユーザが番組表の表示を指示したことに応じて、ＨＤＤ１１２に記憶されたＥＰＧデータに基づいて表示制御部１０５を制御して、表示部１０６に対して番組表を表示させる。
【００２４】
ユーザは、リモコン２００を操作することによりこの番組表を利用して公知の方法で番組の視聴予約、或いは録画予約を行うことが可能である。そして、ＣＰＵ１１０は、ＥＰＧデータを利用して、予約設定された放送番組の放送日時やチャンネル、番組名などの録画予約の設定情報をＨＤＤ１１２に保存する。
【００２５】
また、ＣＰＵ１１０は、ＴＳデコーダ１０３からのデータ放送用データを受けて、表示制御部１０５を制御し、ユーザからデータ放送の表示指示があった場合に、データ放送画面を表示させる。
【００２６】
記録制御部１１１は、ハードディスク装置１１２にＡＶデータや番組に関連する情報を記録したり、読み出したりするための制御部である。
【００２７】
本実施形態では、ＴＳデコーダ１０３により得られた画像データや音声データを、ＭＰＥＧ２のストリームの状態で記録することができる。
【００２８】
即ち、ＣＰＵ１１０は、リモコン２００より記録の指示があったことを操作受付部１１３から知らされると、記録制御部１１１を制御して、ＴＳデコーダ１０３からの画像、音声データをＨＤＤ２１３に記録する。
【００２９】
また、ＣＰＵ１１０は、リモコン２００より再生の指示があった場合、ＨＤＤ１１２に記録された画像、音声データをＡＶデコーダ１０４に送信し、ＡＶデコーダ１０４は再生画像、音声データを復号する。
【００３０】
復号された画像は表示部１０６に表示され、音声がスピーカ１０８より出力される。
【００３１】
また、ＣＰＵ１１０は、保存された録画予約情報に基づき、設定された日時になると、チューナ１０２を制御して指定されたチャンネルのデータを受信すると共に、受信された番組の画像、音声データをＨＤＤ１１２に記録する。
【００３２】
１１７は不図示の電源プラグを介して家庭用電源から電力を受ける電源制御部である。電源制御部１１７は、ＣＰＵ１１０からの指示に従い、受信機１００の各部に対する電力供給を制御する。
【００３３】
次に、本実施形態の特徴である、録画動作中の電源オフ操作に伴う処理について説明する。なお、以下に説明する電源オフ状態においても、受信部１１４、スイッチ１１及び操作受付部１１３によるユーザからの操作受付動作と、ＣＰＵ１１０によるユーザ指示の検出、予約録画処理に係る機能は動作しているものとする。
【００３４】
まず、予約録画時の動作について説明する。なお、以下に説明する処理は、全てＣＰＵ１１０が各部を制御することにより実現できる。
【００３５】
図２は、予約録画時の処理を示すフローチャートである。
【００３６】
前述の様に、電子番組ガイドなどを利用し、公知の方法で予約録画設定がなされる。ます、ＨＤＤ２１３に記録された予約録画開始の日時の情報を読み出す（Ｓ２０１）。そして、不図示のタイマから出力された現在日時と録画開始日時を比較し（Ｓ２０２）、録画開始時間になったか否かを判別する（Ｓ２０３）。
【００３７】
録画開始時間になっていない場合には処理を終了する。
【００３８】
また、録画開始時刻になった場合、受信機１００の電源が投入されているか否かを判別し（Ｓ２０４）、電源オフの状態であった場合には、電源制御部１１７により受信機１００の電源を投入する（Ｓ２１０）。
【００３９】
そして、チューナ１０２による受信チャンネルを、ＨＤＤ２１３に記録された予約録画番組の放送チャンネルに切り替えて番組を受信する（Ｓ２０５）。そして、記録制御部１１１により、受信した番組のデータをＨＤＤ１１２に記録する（Ｓ２０８）。
【００４０】
録画開始後、予約設定された録画終了時間になったか否かを判別し（Ｓ２０７）、録画終了時刻となったらＨＤＤ１１２に対する番組のデータの記録を停止し（Ｓ２０８）、受信機１００の電源をオフして終了する（Ｓ２０９）。
【００４１】
また、Ｓ２０７で録画終了時間になっていない場合、操作受付部１１３から、ユーザにより記録停止の操作指示があったか否かを判別する（Ｓ２１１）。記録停止の指示が無い場合にはＳ２０７に戻って記録を続け、記録停止の指示があった場合にはＨＤＤ１１２に対するデータの記録を停止する（Ｓ２１２）。
【００４２】
また、記録停止の操作が無い場合、操作受付部１１３から、ユーザにより電源オフの操作指示があったか否かを判別する（Ｓ２１３）。電源オフ操作が成された場合、表示制御部１０５により、予約録画中だが録画を停止して電源を切っても良いかをユーザに問い合わせるための問い合わせ画面を表示部１０６に表示する（Ｓ２１４）。そして、ユーザから電源を切る旨の指示があると（Ｓ２１５）、ＨＤＤ１１２に対する番組のデータの記録を停止し（Ｓ２１６）、受信機１００の電源をオフして終了する（Ｓ２１７）。
【００４３】
また、Ｓ２１３で電源オフの指示が無く、或いは、Ｓ２１５で録画を続ける旨の指示があった場合、Ｓ２０６に戻って録画を続ける。
【００４４】
この様に、予約録画設定に伴う録画中であっても、ユーザにより電源オフの操作が成された場合には、録画を中止して受信機の電源をオフするか否かを問い合わせる。その結果、電源オフが指示された場合には予約録画中であっても、録画を中止して受信機の電源を切る。
【００４５】
次に、予約録画設定ではなく、ユーザによる録画ボタンの操作による録画処理について、図３のフローチャートを用いて説明する。
【００４６】
ユーザは、受信機１００がテレビ放送を受信している状態で、リモコン２００、或いはスイッチ１１５の録画ボタンを操作することで、現在受信中のチャンネルで放送されている番組のデータをＨＤＤ１１２に記録することができる。
【００４７】
図３において、まず、操作受付部１１３の出力に基づいて、ユーザによる録画開始の指示があったか否かを判別する（Ｓ３０１）。録画指示が無い場合には処理を終了する。
【００４８】
また、録画開始が指示された場合、現在受信している放送番組のデータをＨＤＤ１１２に記録する（Ｓ３０２）。この様に録画開始後、操作受付部１１３の出力に基づいて、ユーザによる録画停止の指示があったか否かを判別する（Ｓ３０３）。録画停止の指示があった場合、ＨＤＤ１１２に対するデータの記録を停止する（Ｓ３０４）。
【００４９】
また、Ｓ３０３で録画停止の指示が無い場合、操作受付部１１３の出力に基づいて、ユーザによる電源オフの指示があったか否かを判別する（Ｓ３０５）。電源オフの指示が無い場合にはＳ３０２に戻って録画を続ける。
【００５０】
また、電源オフの指示があった場合、Ｓ３０６に移行し、電源オフ処理を実行する。
【００５１】
図４は、Ｓ３０６の電源オフ処理を示すフローチャートである。
【００５２】
本実施形態では、録画中に電源オフの指示があった場合でも、すぐに装置の電源を切らない。
【００５３】
即ち、まず、ＴＳデコーダ１０３から出力されたＥＰＧデータに基づいて、現在記録中の番組に関する放送時間の情報を取得する。そして、記録中の番組の放送終了時刻を検出する（Ｓ４０１）。
【００５４】
次に、操作受付部１１３の出力に基づいて、ユーザによる録画停止の指示があったか否かを判別する（Ｓ４０２）。録画停止の指示があった場合、ＨＤＤ１１２に対するデータの記録を停止して処理を終了する（Ｓ４０７）。
【００５５】
また、録画停止の指示が無い場合、再度電源オフの指示があったか否かを判別する（Ｓ４０３）。ここで、再度電源オフの指示があった場合、ＨＤＤ１１２に対するデータの記録を停止し（Ｓ４０５）、受信機１００の電源を切る（Ｓ４０６）。
【００５６】
また、電源オフの操作が無い場合、Ｓ４０１で取得した録画中の番組の放送終了時刻になったか否かを判別する（Ｓ４０４）。放送終了時刻になっていない場合には、録画を続けたままＳ４０２に戻る。また、放送終了時刻となった場合、ＨＤＤ１１２に対するデータの記録を停止し（Ｓ４０５）、受信機１００の電源をオフして処理を終了する（Ｓ４０６）。
【００５７】
この様に、本実施形態においては、ユーザ指示により録画を開始した場合、録画中に電源オフの指示があると、録画を継続したまま録画中の番組の放送終了時間を検出する。
【００５８】
そして、録画中の番組の放送終了時間になると、録画を停止して受信機１００の電源をオフする。
【００５９】
そのため、ユーザは、録画開始後、電源オフを指示するだけで、録画中の番組を最後まで録画することができる。また、このとき、録画を終了した時点で受信機の電源がオフになるので、無駄な電力を消費することが無い。
【００６０】
（第２の実施形態）
次に、第２の実施形態を説明する。
【００６１】
本実施形態では、図３におけるＳ３０６の電源オフ処理が第１の実施形態とは異なる。図５は、本実施形態におけるＳ３０６の電源オフ処理を示すフローチャートである。
【００６２】
本実施形態においても、録画中に電源オフの指示があった場合でも、すぐに電源を切らない。
【００６３】
即ち、電源オフの指示があると、表示制御部１０５により、表示部１０６に対し、図６に示す処理の選択用画面６０１を表示する。ユーザはリモコン２００を操作して、選択用カーソル６０２を移動し、項目６０３〜６０６の何れかを選択することができる。
【００６４】
即ち、キャンセル項目６０６が選択されると、選択画面の表示を消して、図３のＳ３０２に戻る（Ｓ５０２）。また、キャンセル以外の項目が選択された場合、何れの項目が選択されたかを判別する（Ｓ５０３）。
【００６５】
その結果、録画を停止し、電源オフの項目６０３が選択された場合、ＨＤＤ１１２に対するデータの記録を停止し（Ｓ５０４）、受信機１００の電源をオフして処理を終了する（Ｓ５０５）。
【００６６】
また、番組を最後まで録画する項目６０４が選択された場合、電源オフフラグを０に設定してＳ５０７に進む（Ｓ５０４）。また、番組を最後まで録画した後、電源オフの項目６０５が選択された場合、電源オフフラグを１に設定してＳ５０７に進む（Ｓ５１４）。
【００６７】
Ｓ５０７においては、ＴＳデコーダ１０３から出力されたＥＰＧデータに基づいて、現在記録中の番組に関する情報を取得する。そして、記録中の番組の放送終了時刻を検出する。
【００６８】
次に、操作受付部１１３の出力に基づいて、ユーザによる録画停止の指示があったか否かを判別する（Ｓ５０８）。録画停止の指示があった場合、ＨＤＤ１１２に対するデータの記録を停止して処理を終了する（Ｓ５１５）。
【００６９】
また、録画停止の指示が無い場合、再度電源オフの指示があったか否かを判別する（Ｓ５０９）。ここで、再度電源オフの指示があった場合、ＨＤＤ１１２に対するデータの記録を停止する（Ｓ５１１）。そして、電源オフフラグの状態を判別し（Ｓ５１２）、電源オフフラグが１であった場合には、受信機１００の電源をオフして処理を終了する（Ｓ５１３）。また、電源オフフラグが０の場合、そのまま処理を終了する。
【００７０】
また、電源オフの操作が無い場合、Ｓ５０７で取得した録画中の番組の放送終了時刻になったか否かを判別する（Ｓ５１０）。放送終了時刻になっていない場合には、録画を続けたままＳ５０８に戻る。また、放送終了時刻となった場合、ＨＤＤ１１２に対するデータの記録を停止する（Ｓ５１１）。そして、電源オフフラグの状態を判別し（Ｓ５１２）、電源オフフラグが１であった場合には、受信機１００の電源をオフして処理を終了する（Ｓ５１３）。また、電源オフフラグが０の場合、そのまま処理を終了する。
【００７１】
この様に、本実施形態においては、ユーザ指示により録画を開始した場合、録画中に電源オフの指示があると、所定の動作を選択するための選択画面を表示する。
【００７２】
そして、ユーザは、これらの項目を選択することにより、直ちに録画を停止して電源をオフするか、録画中の番組を最後まで録画するか、更に、録画終了後電源をオフするかを選択することができる。
【００７３】
なお、前記の各実施形態では、受信した番組をＨＤＤに記録する構成であったが、ＨＤＤ以外の記録媒体を備える構成でもよい。また、受信機が受信した番組の映像や音声を出力するための表示部、或いはスピーカを備えていたが、必ずしもこれらの構成を備えなくてもよく、外部のモニタ、或いはスピーカに映像や音声を出力する構成でもよい。
【００７４】
また、図５のＳ５１１で記録を停止した後、電源オフフラグの状態によって受信機の電源をオフするか否かを選択していた。しかし、Ｓ５０９で再度電源オフ操作が成された場合には、電源オフフラグの状態にかかわらず、受信機の電源をオフするように構成しても良い。
【００７５】
また、前記の実施形態では、受信したデータからＥＰＧデータを取得したが、これに限らず、別の手段でＥＰＧデータを取得することも可能である。
【図面の簡単な説明】
【００７６】
【図１】本発明の実施形態に係るテレビ受信機の構成を示す図である。
【図２】予約録画時の処理を示すフローチャートである。
【図３】ユーザの録画指示による録画時の処理を示すフローチャートである。
【図４】電源オフ処理を示すフローチャートである。
【図５】電源オフ処理を示すフローチャートである。
【図６】電源オフが指示された場合に表示する選択画面を示す図である。
【図１】
2009225300.tif 000003
【図２】
2009225300.tif 000004
【図３】
2009225300.tif 000005
【図４】
2009225300.tif 000006
【図５】
2009225300.tif 000007
【図６】
2009225300.tif 000008